(57)【要約】【課題】筐体内のシェルフに複数の光パッケージが垂直姿勢で挿抜可能に収容された光通信装置において、光パッケージの増設や撤去の際の作業性、信頼性に優れた光ファイバ余長処理構造を得る。【解決手段】光ファイバ７の余長部を巻回する余長処理リールシート１４と、余長処理リールシート１４を出し入れする開口部１１ａ及び収納部を有し各光パッケージ３に隣接して設けられた余長処理部１０とを備え、光ファイバ７を光パッケージ３の光アダプタ８に接続したときの余長部が、光ファイバ７毎に個別の余長処理リールシート１４に巻回されて、余長処理部１０の開口部１１ａから収納部へ収納されるように構成した。【選択図】図２
2006317783.tif 000002
【特許請求の範囲】
【請求項１】
筐体内のシェルフに複数の光パッケージが垂直姿勢で横に並べられ挿抜可能に収容され、上記光パッケージの前面に設けられた光アダプタに光ファイバが接続される光通信装置の光ファイバ余長処理構造において、
上記光ファイバの余長部を巻回する余長処理リールシートと、
上記余長処理リールシートを出し入れする開口部及び収納部を有し上記光パッケージのそれぞれに隣接して設けられた余長処理部とを備え、
上記光ファイバを上記光パッケージの上記光アダプタに接続したときの余長部が、上記光ファイバ毎に個別の上記余長処理リールシートに巻回されて、上記余長処理部の上記開口部から上記収納部へ収納されるように構成したことを特徴とする光ファイバ余長処理構造。
【請求項２】
請求項１記載の光ファイバ余長処理構造において、上記余長処理部を上記光パッケージと一体に挿抜できるように構成したことを特徴とする光ファイバ余長処理構造。
【請求項３】
請求項１又は請求項２記載の光ファイバ余長処理構造において、上記余長処理部の上記収納部に、上記余長処理リールシートの位置決めをするための係止部を設けたことを特徴とする光ファイバ余長処理構造。
【発明の詳細な説明】
【技術分野】
【０００１】
この発明は、筐体内のシェルフに複数の光パッケージが垂直姿勢で並列して挿抜可能に収容され、光パッケージの前面に設けられた光アダプタに光ファイバが接続される光通信装置の光ファイバ余長処理構造に関するものである。
【背景技術】
【０００２】
例えば、通信会社の所有する局舎には様々な通信装置が設置され、広大な機器の設置スペースを必要とする。そのような状況から、省スペースのために、機器の前面側と裏面側の保守が必要な装置に替えて、前面側のみで保守できる機器も増えてきており、また、高密度実装化により１台の通信装置に接続されるケーブル量も多くなってきた。
【０００３】
従来の光通信装置における光ファイバの余長処理構造としては、例えば、光部品モジユールを搭載したプリント基板からなる複数の光ユニットをシェルフ内に垂直姿勢で並列して挿抜可能に収容して構成された光通信装置において、光ファイバを各光ユニットに導入するための、光ファイバ収納盤を備えた技術が開示されている。この光ファイバ収納盤は、各光ユニットが収容されているシェルフの上方に設置されたガイドトレイ付きのサブシェルフ内に、各光ユニットの位置に対応して垂直姿勢で並列して挿抜可能に収容されたプレートからなり、プレートの表面上には導入される光ファイバの先端に装着された光コネクタを係止するための止め金具と光ファイバ余長処理部形成用のホルダとが設置されている。そして、光ユニットと一体にシェルフに対して挿抜可能な構造になっている（例えば、特許文献１参照）。
【０００４】
【特許文献１】特開平５−２３２３２８号公報（第２頁、図１）
【発明の開示】
【発明が解決しようとする課題】
【０００５】
従来の光ファイバ余長処理装置は以上のように構成されているため、余長処理専用のサブシェルフが必要であり、シェルフ構造が複雑になりコストアップの要因となる。また例えば光通信筐体下部から上部への煙突構造による強制空冷の場合、プリント基板が搭載されている光パッケージの上部に余長処理部を配置しているため、余長処理部がプリント基板に搭載されている光部品モジユールや電子部品への通風の妨げとなり冷却効率が低下するという問題点があった。
【０００６】
また光ファイバ余長処理部を光パッケージ毎に個別に備えているが、余長処理部内では複数の光ファイバをまとめて余長処理を行っているため、増設・撤去時は運用中の光ファイバをほどいたりする必要があり、運用中の光パッケージに接続されて電送される信号にエラーを発生させる可能性があった。
【０００７】
この発明は、上記のような問題点を解決するためになされたもので、光パッケージ内の電子部品の冷却を妨げず、余長処理専用のサブシェルフ等を必要とせず、光パッケージの増設・撤去の際の作業性に優れた光ファイバ余長処理構造を提供することを目的とする。
【課題を解決するための手段】
【０００８】
この発明に係わる光ファイバ余長処理構造は、筐体内のシェルフに複数の光パッケージが垂直姿勢で横に並べられ挿抜可能に収容され、光パッケージの前面に設けられた光アダプタに光ファイバが接続される光通信装置の光ファイバ余長処理構造において、光ファイバの余長部を巻回する余長処理リールシートと、余長処理リールシートを出し入れする開口部及び収納部を有し光パッケージのそれぞれに隣接して設けられた余長処理部とを備え、光ファイバを光パッケージの光アダプタに接続したときの余長部が、光ファイバ毎に個別の余長処理リールシートに巻回されて、余長処理部の開口部から収納部へ収納されるように構成したものである。
【発明の効果】
【０００９】
この発明による光ファイバ余長処理収納構造によれば、筐体内のシェルフに垂直姿勢で挿抜可能に収納された複数の光パッケージのそれぞれに隣接して余長処理部を設け、光ファイバの余長部が光ファイバ毎に個別の余長処理リールシートに巻回されて、余長処理部の開口部から内部に収納されるように構成したので、余長処理専用のサブシェルフ等を必要とせず、同一シェルフ内で余長処理を行っているため、必要に応じ余長処理部を簡単に増設できる。また、各光パッケージに接続する光ファイバを個別に余長処理しているので、増設又は撤去時に既に配線された運用中の光ファイバに影響を与えることなく配線作業が可能となる。
【発明を実施するための最良の形態】
【００１０】
実施の形態１．
以下、この発明の実施の形態を図に基づいて説明する。
図１はこの発明の光ファイバの余長処理構造を備えた光通信装置の一例を示す全体斜視図であり、図２はその要部の拡大図である。光通信装置筐体１には、複数段のシェルフ２が配置されており、この各シェルフ２に複数の光パッケージ３が垂直姿勢で横に並べられ、シェルフ２に設けたガイドレール（図示せず）に沿って挿抜可能に収容されている。光パッケージ３は、図２に示すように、回路基板やコネクタ等を搭載するパッケージ本体４と光部品モジュール５と前面パネル６とを備えている。前面パネル６には、外部機器に接続される光ファイバ７を前面から接続するための光アダプタ８が設けられており、また、図示は省略するがシェルフ２に着脱するための係止部やイジェクタレバー等が設けられている。各シェルフ２の下部側には、シェルフ２に沿って、光ファイバ７を収納し整線するための光ファイバガイドトレイ９が配置されている。
【００１１】
光パッケージ３に隣接して、余長処理リールシート１４を収納するための開口部１１ａを有する余長処理部１０が、光パッケージ３と同様に、シェルフ２に垂直姿勢で挿抜可能に取り付けられている。図２は、１個の光パッケージ３を引き出した状態を示し、また、余長処理リーシート１４を取り出した状態を示しているが、光ファイバ７の余長部の処理については図示を省略している。余長処理部１０と余長処理リールシート１４の詳細については後述する。
【００１２】
光ファイバ７は光通信装置筐体１の上部または下部の開口部から導入され、光通信装置筐体１の側面に配線されて各シェルフ部で分岐し、シェルフに沿って配置された光ファイバガイドトレイ９内を経由して、接続すべき光パッケージ３近傍で引き出され、光パッケージ３の前面パネル６に設けられた光アダプタ８に余長部を残して接続される。余長処理の方法については後述する。
【００１３】
次に、余長処理部１０の詳細について説明する。図３は余長処理部１０の斜視図であり、（ａ）は全体を、（ｂ）は内部を透視した状態を、（ｃ）は余長処理リールシートの出し入れ状態を示している。
図のように、余長処理部１０は、余長処理リールシート１４を出し入れする開口部１１ａを有する前面パネル１１と、シェルフ２に装着するためにシェルフ２に設けたガイドレール（図示せず）にスライドするプレートｌ２と、余長処理リールシート１４を収納する収納部１３とを備えている。シェルフ２ヘの固定は、図示は省略するが、例えば、イジェクタレバーやねじ等により固定する構造となっており、光パッケージ３のシェル２への固定方法と共通化することで、コストを抑えることができる。シェルフ２に固定した状態では、光パッケージ３の前面パネル６と余長処理部１０の前面パネル１１が同一面となるようにしている。
【００１４】
このような構成によりに、余長処理部１０は前面パネル部１１の開口部１１ａのみが開口した箱形状になっており、例えば、光通信装置筐体１の下部から上部へのいわゆる煙突構造による強制空冷を行う場合でも、開口部１１ａから冷却空気が漏れない密閉構造となっている。なお、収納部１３の厚さ方向の寸法は、（ｂ）（ｃ）に示すように、余長処理リールシート１４が複数枚収納できる厚さとする。
【００１５】
次に、余長処理リールシート１４について説明する。図４は余長処理リールシート１４の斜視図であり、（ａ）は光ファイバ７を挿入したところ、（ｂ）は巻き取り始めたところを示している。図のように、多角形をした２面の薄板の樹脂材料からなる壁面部１５，１６と、光ファイバ７を巻回するための軸部１７とで構成されている。また、一方の壁面部１６には直径方向に光ファイバが入るだけの隙間１８を形成している。このように構成した１個の余長処理リールシート１４の厚さは、ほぼ光ファイバ７の直径と壁面部１５，１６の薄板２枚の厚みの合計となり、薄く形成することができる。使用時は、図３に示すように、必要な光ファイバの本数に応じて複数枚を重ねて収納部１３へ収納する。すなわち、任意の光ファイバ７毎に一本ずつ余長処理が可能となっている。
【００１６】
なお、壁面部１５，１６の外形を多角形にしているのは、収納時に収納部１３の底面及び奥側面に多角形の面が係合し、余長処理リールシート１４の回転移動が阻止されるように考慮したものであるが、必ずしも多角形にする必要はなく、円形でも良い。
【００１７】
次に、光ファイバ７の余長処理方法について説明する。図５は余長処理作業の途中を示す要部斜視図であり、図６は完成後を示す要部斜視図である。光ファイバ７を光通信装置筐体１の側壁面から光ファイバガイドトレイ９に導入し、接続対象の光パッケージ３近傍で導出して、当該光パッケージ３の前面パネルに設けた光アダプタ８に接続する。光ファイバ７の余長部は、図５のように余長処理リールシート１４の軸部１７に巻き付け、回転させながらたるみが無くなるまで巻き取った後、当該光パッケージ３に隣接する余長処理部１０の前面パネルの開口部１１ａから収納部へ挿入し収納する。収納後は、図６のようになる。
このように、光ファイバの余長を無段階に調整することができるので、収納時の微妙なたるみもほぼ吸収でき、光ファイバを整然と配線することが可能となる。
【００１８】
これまでの説明では、余長処理部１０は光パッケージ３に隣接して個別に設けたものであったが、余長処理部１０を光パッケージ３と一体に挿抜できるように構成しても良い。すなわち、光パッケージ３の前面パネルを利用し、それに余長処理部の開口部と収納部とを設けるものである。
このような構成にすれば、例えば、余長処理部を有していない光パッケージに、後から前面パネル部に変更を加えるだけで、最小限の変更で光パッケージ３に余長処理部を追加することができる。
【００１９】
以上のように、本実施の形態の発明によれば、光ファイバの余長部を巻回する余長処理リールシートと、光パッケージのそれぞれに隣接して余長処理リールシートを収納する余長処理部とを備え、光ファイバを光アダプタに接続したときの余長部を、光ファイバ毎に個別の余長処理リールシートに巻回して、余長処理部の開口部から収納部へ収納するように構成したので、各光パッケージに接続する光ファイバを個別に余長処理することができ、増設又は撤去時に既に配線された運用中の光ファイバに伝送される信号にエラーを発生させるような危険性を少なくした配線作業が可能となる。
また同一シェルフ内に光パッケージと余長処理部を備えるため、余長処理専用のサブシェルフ等は必要なくなり、装置の高さを有効に活用して実装効率を上げることができると共に、余長処理部を後から追加するのが容易ため、光ファイバの本数に合わせた最適の構成とすることができ、装置全体として高密度に無駄なく実装することができる。
更に、筐体下部から強制空冷するような場合は、パッケージと余長処理部を横並びさせているので、光パッケージの通風路を塞ぐことがないため、冷却効率を低下させることがない。
【００２０】
また、余長処理部を光パッケージと一体に挿抜できるように構成した場合は、後から余長処理部が必要になったとき、最小限の変更で光パッケージに余長処理部を追加することができる。
【００２１】
実施の形態２．
図７はこの発明の実施の形態２による光ファイバ余長処理構造を備えた光通信装置の余長処理部を示す図であり、（ａ）は正面図，（ｂ）は側面図を示す。図７に示す以外の光通信装置全体や光パッケージの構成は、実施の形態１で説明した図１〜図６と同等なので説明は省略し、また、同等部分は同一符号で示し、相違点を中心に説明する。
【００２２】
本実施の形態の余長処理部１９は、実施の形態１で説明した図３と同様に、余長処理リールシート１４を出し入れする開口部１１ａを有する前面パネル１１と、シェルフ２に実装するためにシェルフ２に設けたガイドレール（図示せず）にスライドするプレートｌ２と、余長処理リールシート１４を収納する収納部１３とを備えている。相違するところは、収納部１３の下面に係止部２０を設けている点である。係止部２０の形状は、図７（ｂ）では、余長処理リールシート１４を収納部の奥側壁に当接するように収納したとき、余長処理リールシート１４が開口部１１ａ側へ回転移動しないような段差を形成したものを示しているが、単なる突起のようなものでも良い。
【００２３】
以上のように、本実施の形態の発明によれば、余長処理部の収納部に余長処理リールシートの位置決めをするための係止部を設けたので、余長処理リールシートを余長処理部に収納したときに、余長処理リールシートが位置決めされて回転移動が阻止され、開口部から飛び出すのを防止することができるため、実施の形態１の効果に加え、操作性をと信頼性を向上することができる。
【００２４】
なお、実施の形態１及び２において、光ファイバガイドトレイは光パッケージの下部側のシェルフに沿って配置したものについて説明したが、光パッケージの上部側に設けても同様の効果を得られることは言うまでもない。
また、余長処理リールシートの形状は図４に示すものに限定するものではなく、例えば２枚の円形薄板の間の中心部に１個の巻軸を設けたものや、プレートに余長部形成用のホルダを円形状に設けたもの等でもよく、光ファイバ毎に個別に巻回できる余長処理リールシートであれば同様の効果を得ることができる。
【図面の簡単な説明】
【００２５】
【図１】この発明の実施の形態１による光ファイバの余長処理構造を備えた光通信装置の全体斜視図である。
【図２】図１の要部の部分拡大斜視図である。
【図３】この発明の実施の形態１による光ファイバ余長処理構造の余長処理部の斜視図である。
【図４】この発明の実施の形態１による光ファイバ余長処理構造の余長処理リールシートを示す斜視図である。
【図５】この発明の実施の形態１による余長処理を説明する斜視図である。
【図６】この発明の実施の形態１による余長処理完了後の状態を示す斜視図である。
【図７】この発明の実施の形態２による光ファイバ余長処理構造の余長処理部を示す図である。
【符号の説明】
【００２６】
１  光通信装置筐体                  ２  シェルフ
３  光パッケージ                    ７  光ファイバ
８  光アダプタ                      ９  光ファイバガイドトレイ
１０，１９  余長処理部              １１  前面パネル
１１ａ  開口部                      １３  収納部
１４  余長処理リールシート          ２０  係止部。
【図１】
2006317783.tif 000003
【図２】
2006317783.tif 000004
【図３】
2006317783.tif 000005
【図４】
2006317783.tif 000006
【図５】
2006317783.tif 000007
【図６】
2006317783.tif 000008
【図７】
2006317783.tif 000009